(57)【特許請求の範囲】
【請求項１】
ラベルを有するラベルロール体の芯の内側に付される前記ラベルの種類を示すバーコードの読取りと、
前記ラベルの印字結果の読取りとを行う単一のスキャナーと、
プリンタ本体の内部の繰出し側に設けられ、前記ラベルロール体の芯を回転自在に保持するとともに、前記スキャナーを挿抜自在に保持する第１の保持部と、
前記プリンタ本体の内部の排出側に設けられ、前記スキャナーを挿抜自在に保持する第２の保持部と、
前記第1および第２の保持部の間に設けられ、前記ラベルへ印字を行う印字ヘッド
とを備え、
かつ、前記第１の保持部及び第２の保持部には、前記スキャナーが挿抜される挿入口及び挿入される前記スキャナーの読取り部のスリット口を有する筒体を備え、
前記スキャナーにより、前記第１の保持部にて前記バーコードが読取られ、
前記第２の保持部にて前記ラベルの印字結果が読取られることを特徴とするラベルプリンタ。
【発明の詳細な説明】
【０００１】
【発明の属する技術分野】
本発明は、単一のスキャナーにより、ラベル固有のデータの読取りと、ラベルの印字結果の検証のための読取りとを行うラベルプリンタに関する。
【０００２】
【従来の技術】
ラベルプリンタは、たとえば図８に示すように、繰出し側から排出口側に向けて順に設けられた駆動ローラ１，２、光反射センサ３、印字ヘッド４、プラテン５を備えている。また、これらの動作は、駆動制御部２０により制御されるようになっているとともに、操作部２１によってラベル１０の種類を示すデータが入力されるようになっている。
【０００３】
駆動ローラ１，２は、プラテン５と同期して回転駆動を行うものであり、たとえば図９に示すようなラベル１０を等間隔で仮着している台紙１１を印字ヘッド４側に搬送するものである。このとき、光反射センサ３により、台紙１１の裏面側にそれぞれのラベル１０に対応させて付されている識別マーク１２が検出される。ここで、識別マーク１２は、印字位置検出用のマークである。
【０００４】
またこのとき、印字ヘッド４により、それぞれのラベル１０に対し、所定の印字位置から文字情報やバーコード等が印字される。ちなみに、図９の場合においては、バーコード印字エリア１３にバーコードが印字され、バーコード印字エリア１３以外の部分には文字情報等が印字されるようになっている。ここで、印字ヘッド４とプラテン５との間では、印字ヘッド４がプラテン５側に移動することにより、ラベル１０に対して所定の圧が加えられるようになっている。これにより、印字ズレ等が防止されるようになっている。
【０００５】
【発明が解決しようとする課題】
ところで、上述したラベルプリンタにあっては、ラベル１０の種類に応じた初期設定のためのデータを操作部２１により入力する必要がある。つまり、印字すべきラベル１０には、ラベルサイズ、ラベル間ギャップサイズが異なるものや、サーマル紙やコート紙等のように紙質が異なるものがあるためである。よって、印字すべきラベル１０を代える毎に、操作部２１による入力が必要となるため、データの入力操作が煩雑なものとなっている。
【０００６】
また、ラベル１０の印字結果は、たとえば外付けのスキャナーによって読取られることにより検証されるようになっているため、外付けのスキャナーが必要となることから、ラベルプリンタの低コスト化の妨げとなっている。
【０００７】
本発明は、このような状況に鑑みてなされたものであり、ラベルの種類に応じた初期設定のためのデータの入力を不要とすることができ、併せてラベルプリンタの低コスト化を図ることができるラベルプリンタを提供することができるようにするものである。
【０００８】
【課題を解決するための手段】
本発明に係るラベルプリンタにおいては、ラベルを有するラベルロール体の芯の内側に付されるラベルの種類を示すバーコードの読取りと、ラベルの印字結果の読取りとを行う単一のスキャナーと、プリンタ本体の内部の繰出し側に設けられ、ラベルロール体の芯を回転自在に保持するとともに、スキャナーを挿抜自在に保持する第１の保持部と、プリンタ本体の内部の排出側に設けられ、スキャナーを挿抜自在に保持する第２の保持部と、第1および第２の保持部の間に設けられ、ラベルへ印字を行う印字ヘッドとを備え、かつ、第１の保持部及び第２の保持部には、スキャナーが挿抜される挿入口及び挿入されるスキャナーの読取り部のスリット口を有する筒体を備え、スキャナーにより、第１の保持部にてバーコードが読取られ、第２の保持部にてラベルの印字結果が読取られることを特徴とする。
本発明に係るラベルプリンタにおいては、ラベルを有するラベルロール体の芯の内側に付されるラベルの種類を示すバーコードの読取り行う場合、単一のスキャナーを第１の保持部に保持させ、ラベルの印字結果の読取りを行う場合、単一のスキャナーを第２の保持部に保持させるようにする。
【０００９】
【発明の実施の形態】
以下、本発明の実施の形態について説明する。
【００１０】
図１は、本発明のラベルプリンタの一実施の形態を示す斜視図、図２は、図１のラベルプリンタの内部構成を示す断面図、図３〜図５は、図１のラベルプリンタの要部を説明するための図、図６は、図１のラベルプリンタによって印字されるラベルロール体を示す斜視図、図７は、図１のラベルプリンタの制御系を説明するための図である。
【００１１】
図１に示すラベルプリンタは、プリンタ本体３０の上部側に、表示部３１及び操作部３２を備えている。また、プリンタ本体３０の前面の排出側に、ラベル４０の発行口３３を備えている。また、プリンタ本体３０の側面に、軸３４によって回動自在とされる把手３５を備えている。
【００１２】
プリンタ本体３０の内部には、図２に示すように、第１の保持部３６及び第２の保持部３７が設けられている。第１の保持部３６は、プリンタ本体３０の内部の繰出し側に位置し、ラベル４０を有するラベルロール体４１の芯４２を回転自在に保持するとともに、スキャナー５０を挿抜自在に保持するものである。第２の保持部３７は、図１の発行口３３側に位置し、スキャナー５０を同様に挿抜自在に保持するものである。また、第１の保持部３６と第２の保持部３７との間には、印字ヘッド３８及びプラテン３９が設けられている。
【００１３】
第１の保持部３６及び第２の保持部３７には、図３に示すように、スリット口３６ｂ，３７ｂ及び挿入口３６ｃ，３７ｃを有する筒体３６ａ，３７ａが設けられている。スリット口３６ｂ，３７ｂは、挿入口３６ｃ，３７ｃから挿入されるスキャナー５０の読取り部５１の読取り口とされるものである。なお、スキャナー５０が第１の保持部３６又は第２の保持部３７に挿入された際、スキャナー５０の読取り部５１とスリット口３６ｂ，３７ｂとの位置決めが必要となる。この場合、第１の保持部３６及び第２の保持部３７内部にガイド部材等を設けることで、スキャナー５０の読取り部５１とスリット口３６ｂ，３７ｂとの位置決めが容易且つ確実に行われる。
【００１４】
スキャナー５０は、図４に示すように、コード５２を介してプリンタ本体３０の後述する制御系６０に接続されている。また、たとえば第１の保持部３６に保持されるスキャナー５０は、図５に示すように、第１の保持部３６から抜出し、図３に示した第２の保持部３７に挿入することができるようになっている。
【００１５】
また、図２のラベル４０を有するラベルロール体４１の芯４２の内側には、図６に示すように、ラベル４０の種類を示すバーコード４３が付されている。このバーコード４３は、シール状のものであってもよく、芯４２自体に印刷したものであってもよい。ここで、ラベル４０の種類としては、ラベルサイズ及びラベル間ギャップサイズが異なるものや、サーマル紙やコート紙等の紙質の異なるものがある。またここで、ラベル間ギャップサイズとは、ラベル４０の裏面側に付されている図示しない印字位置検出用の識別マークからの印字基点を補正するためのデータである。
【００１６】
また、図１のプリンタ本体３０の内部には、たとえば図７に示すような制御系６０が設けられている。制御系６０は、ＣＰＵ６１、ＲＡＭ６２、ＲＯＭ６３、ラベル搬送制御部６４、印字ヘッド制御部６５、識別マーク検出部６６、Ａ／Ｄ変換部６７を備えている。また、これらはデータバス／コントロールバス６０ａを介して相互に接続されている。
【００１７】
ＣＰＵ６１は、ＲＯＭ６３に格納されている制御プログラム等に基づいて、各部の動作を制御するものである。また、ＣＰＵ６１は、光反射センサ３８ｂがラベル４０の裏面側に付されている図示しない印字位置検出用の識別マークを検出することによって得られる検出結果と、ラベルロール体４１の芯４２の内側のバーコード４３のラベル間ギャップサイズとによるラベル４０への印字位置に基づき、ラベル搬送制御部６４、印字ヘッド制御部６５等を制御するものである。また、ＣＰＵ６１は、スキャナー５０によって読取られた図６のバーコード４３から上述したラベル４０の種類を識別するとともに、ラベル４０への印字の際にはＲＯＭ６３から対応するデータを読取って印字制御を行うようになっている。
【００１８】
ＲＡＭ６２には、フラグ、ワークエリア、印字展開バッファ等が格納される。ＲＯＭ６３は、制御プログラム、各種固定データ、制御テーブルデータ等を格納している。ラベル搬送制御部６４は、プラテンローラ３９とこれに同期して駆動される図示しない駆動ローラ等のラベル搬送機構３８ａへ駆動力を与える図示しないパルスモータの駆動を制御するものである。
【００１９】
印字ヘッド制御部６５は、ＲＡＭ６２内の印字展開バッファ内のデータを印字ヘッド３８に転送することで、印字ヘッド３８の印字動作を制御するものである。識別マーク検出部６６は、光反射センサ３８ｂによって検出された上記の識別マークの検出結果を信号に変換するものである。
【００２０】
Ａ／Ｄ変換部６７は、スキャナー５０によって読取られたバーコード４３からの信号をディジタル信号に変換するものである。
【００２１】
次に、このような構成のラベルプリンタの動作について説明する。
【００２２】
まず、図２及び図３に示したように、スキャナー５０が第１の保持部３６に保持されている状態で、図６に示したラベルロール体４１の芯４２を第１の保持部３６にセットする。次いで、ラベルロール体４１からラベル４０が印字ヘッド３８側に引出されるとき、芯４２の回転によって芯４２の内側のバーコード４３が図３で説明した第１の保持部３６のスリット口３６ｂを通過する。バーコード４３がスリット口３６ｂを通過するとき、スキャナー５０の読取り部５１により、スリット口３６ｂを介してバーコード４３が読取られる。
【００２３】
スキャナー５０によって読取られたバーコード４３からの信号は、図７の制御系６０のＡ／Ｄ変換部６７により、ディジタル信号に変換されると、ＣＰＵ６１によりラベル４０の種類が識別される。そして、ラベル４０への印字の際には、ＲＯＭ６３から対応するデータを読取られることで、ＣＰＵ６１による印字制御が行われ、印字ヘッド３８によるラベル４０への印字が行われる。
【００２４】
また、ラベル４０への印字結果を検証する場合には、ラベル４０への印字を停止させた後、図３及び図５で説明したように、スキャナー５０を第１の保持部３６から抜出し、第２の保持部３７に挿入する。スキャナー５０の第２の保持部３７への挿入を終えた後、ラベル４０を図１の発行口３３側に搬送させる。このとき、ラベル４０の搬送によってラベル４０に印字された図示しないバーコードが第２の保持部３７のスリット口３７ｂを通過する。このとき、スキャナー５０の読取り部５１により、スリット口３７ｂを介してラベル４０のバーコードが読取られる。
【００２５】
スキャナー５０によって読取られたラベル４０のバーコードからの信号は、上記同様に、制御系６０のＡ／Ｄ変換部６７により、ディジタル信号に変換されると、ＣＰＵ６１により印字結果の検証が行われる。
【００２６】
このように、本実施の形態では、ラベル４０を有するラベルロール体４１の芯４２の内側に付されるラベルの種類を示すバーコード４３の読取り行う場合、単一のスキャナー５０を第１の保持部３６に保持させ、ラベル４０の印字結果の読取りを行う場合、単一のスキャナー５０を第２の保持部３７に保持させるようにしたので、ラベル４０の種類に応じた初期設定のためのデータの入力を不要とすることができ、併せて従来のような外付けのスキャナーが不要となることからラベルプリンタの低コスト化が図れる。
【００２７】
【発明の効果】
以上の如く本発明に係るラベルプリンタによれば、ラベルを有するラベルロール体の芯の内側に付されるラベルの種類を示すバーコードの読取り行う場合、単一のスキャナーを第１の保持部に保持させ、ラベルの印字結果の読取りを行う場合、単一のスキャナーを第２の保持部に保持させるようにしたので、ラベルの種類に応じた初期設定のためのデータの入力を不要とすることができ、併せてラベルプリンタの低コスト化を図ることができる。
【図面の簡単な説明】
【図１】本発明のラベルプリンタの一実施の形態を示す斜視図である。
【図２】図１のラベルプリンタの内部構成を示す断面図である。
【図３】図１のラベルプリンタの要部を説明するための図である。
【図４】図１のラベルプリンタの要部を説明するための図である。
【図５】図１のラベルプリンタの要部を説明するための図である。
【図６】図１のラベルプリンタによって印字されるラベルロール体を示す斜視図である。
【図７】図１のラベルプリンタの制御系を説明するための図である。
【図８】従来のラベルプリンタの一例を示す図である。
【図９】図８のラベルプリンタによって印字が行われるラベルの一例を示す図である。
【符号の説明】
３０  プリンタ本体
３１  表示部
３２  操作部
３３  発行口
３５  把手
３６  第１の保持部
３６ａ，３７ａ  筒体
３６ｂ，３７ｂ  スリット口
３６ｃ，３７ｃ  挿入口
３７  第２の保持部
３８  印字ヘッド
３９  プラテン
４０  ラベル
４１  ラベルロール体
４２  芯
４３  バーコード
５０  スキャナー
５１  読取り部
６０  制御系
６１  ＣＰＵ
６２  ＲＡＭ
６３  ＲＯＭ
６４  ラベル搬送制御部
６５  印字ヘッド制御部
６６  識別マーク検出部
６７  Ａ／Ｄ変換部
【図１】
0004723125.tif 000002
【図２】
0004723125.tif 000003
【図３】
0004723125.tif 000004
【図４】
0004723125.tif 000005
【図５】
0004723125.tif 000006
【図６】
0004723125.tif 000007
【図７】
0004723125.tif 000008
【図８】
0004723125.tif 000009
【図９】
0004723125.tif 000010